(57)【要約】【課題】球貯蔵室から球を下方に誘導する樋の容易かつ適切な連結を図る。【解決手段】縦樋機構３の掛止部３７が遊技主体収納構造体４の係合孔４７に掛け止められ、止ねじ３０が取付躯体３５の裏側からねじ挿入孔３６を経由して遊技主体収納構造体４の取付孔４６に締結されることで、縦樋機構３が遊技主体収納構造体４における中央開口部７３の右縁部に沿って中央開口部７３よりも右側に位置して遊技主体収納構造体４の裏面に縦長となるように配置されて固定された後、タンク機構２における連結樋１１の挿入部５が縦樋機構３の上方から受入部６に差し込まれることによって、タンク機構２の球を排出する部分と縦樋機構３の球を受け入れる部分とが、位置がずれたり離れたりすることがなく、正確に連結され、球がタンク機構２から縦樋機構３に円滑に流れる。【選択図】図１
2006014796.tif 000002
【特許請求の範囲】
【請求項１】
遊技機枠における遊技主体収納構造体の裏面にタンク機構と縦樋機構とを備え、タンク機構が、上方に開口した箱形の球貯蔵室に貯蔵された球を、球払出機構の動作によって、球貯蔵室から払出球検出機構に１個ずつ払い出し、払い出された球を払出球検出機構で電気的に検出し、検出された球を連結樋から下方に排出する構造であり、縦樋機構が、タンク機構の連結樋から排出された球を、通路切換機構の動作によって、遊技機枠の前側に設けられた球皿構造体の球収容部の方向に払い出すために通路構造体の内部に形成された払出通路に流したり、遊技機枠の裏側から遊技機枠の設置される遊技機設置構造体の捕球機構の方向に排出するために通路構造体の内部に形成された球抜通路に流したりする構造であり、縦樋機構が遊技主体収納構造体に取り付けられ、タンク機構の挿入部が縦樋機構の受入部に上方から嵌め込まれてタンク機構と縦樋機構とが互いに連結され、タンク機構が遊技主体収納構造体に取り付けられたことを特徴とする遊技機のタンク払出装置。
【請求項２】
球貯蔵室から球払出機構に向けて移動する球から受ける球圧の方向と球払出機構が取込部の内部で球を球出口に向けて移動する方向とが同じ方向となるように、球払出機構が駆動されたことを特徴とする請求項１記載の遊技機のタンク払出装置。
【請求項３】
払出球検出機構が球払出機構の球を排出する球出口の真下に設けられたことを特徴とする請求項１記載の遊技機のタンク払出装置。
【発明の詳細な説明】
【技術分野】
【０００１】
本発明は、パチンコ機やスロットマシンなどのように遊技媒体としてパチンコ球と呼ばれる球を使用する遊技機における遊技機枠の裏面における球貯蔵室から球を下方に誘導する樋を容易かつ適切に連結することができる遊技機のタンク払出装置に関する。
【背景技術】
【０００２】
特許文献１に開示されたパチンコ機のタンク払出装置は、貯留タンクの底面に開口部を形成し、開口部に下部に位置するように、貯留タンクの下部に駆動モータで駆動するスパイラル機構体を有する排出装置を設け、貯留タンクの球が開口部を経由して排出装置のスパイラル機構体に供給された状態において、スパイラル機構体が駆動モータで駆動することによって、球を１個ずつ分離して貯留タンクから排出球検出器へと払い出している。しかしながら、スパイラル機構体が貯留タンクから開口部に向けて移動する球から受ける球圧の方向と貯留タンクから開口部を経由して排出装置本体の内部空間に流れ込んでスパイラル機構体で前後に分けられるとともにスパイラル機構体の隙間に分離されて１個ずつ取り込まれた球を排出球検出器に向けて移動する方向とが逆の方向になっているので、スパイラル機構体に負担がかかり過ぎ、球詰まりを発生しやすいうえ、排出球検出器を通過した球を誘導通路で貯留タンクから開口部に向けて移動する方向の逆方向に案内して下方に流下して遊技機枠の前面に設けられた球貯留皿に誘導しているので、遊技機枠の遊技盤収納室に遊技盤を取り付けた場合、遊技盤の裏面に設けられた遊技制御装置や役物制御装置および排出制御装置などの裏機構と逃げるために、遊技盤収納室に形成された中央開口部を大きくすることができないという欠点がある。特許文献２に開示されたパチンコ機のタンク払出装置は、球タンクの底面に開口部を形成し、開口部から真下に延びる球供給路を設け、球供給路の下部に球を払い出す球払出装置を設け、球払出装置の下部に球払出装置から払い出された球を遊技機枠の前面に設けられた球貯留皿に誘導する球払出流路を設け、球払出流路に球が球払出装置の下方近傍まで貯蔵されたことを検出する満杯検出スイッチを設けたことによって、遊技盤収納室に形成された中央開口部を大きくしている。しかしながら、球タンク、球供給路、球払出装置、球払出流路などの構造体相互の連結構造が、実用的でないという欠点がある。
【特許文献１】特開平８−１０４１５号公報
【特許文献２】特開２００２−８５７９３号公報
【発明の開示】
【発明が解決しようとする課題】
【０００３】
発明が解決しようとする問題点は、遊技盤収納室に形成された中央開口部を大きくしても、球タンク、球供給路、球払出装置、球払出流路などの構造体相互の連結構造が、実用的でないという点である。
【課題を解決するための手段】
【０００４】
本発明に係る遊技機のタンク払出装置は、遊技機枠における遊技主体収納構造体の裏面にタンク機構と縦樋機構とを備え、タンク機構が、上方に開口した箱形の球貯蔵室に貯蔵された球を、球払出機構の動作によって、球貯蔵室から払出球検出機構に１個ずつ払い出し、払い出された球を払出球検出機構で電気的に検出し、検出された球を連結樋から下方に排出する構造であり、縦樋機構が、タンク機構の連結樋から排出された球を、通路切換機構の動作によって、遊技機枠の前側に設けられた球皿構造体の球収容部の方向に払い出すために通路構造体の内部に形成された払出通路に流したり、遊技機枠の裏側から遊技機枠の設置される遊技機設置構造体の捕球機構の方向に排出するために通路構造体の内部に形成された球抜通路に流したりする構造であり、縦樋機構が遊技主体収納構造体に取り付けられ、タンク機構の挿入部が縦樋機構の受入部に上方から嵌め込まれてタンク機構と縦樋機構とが互いに連結され、タンク機構が遊技主体収納構造体に取り付けられたことを最も主要な特徴とする。本発明に係る遊技機のタンク払出装置は、球貯蔵室から球払出機構に向けて移動する球から受ける球圧の方向と球払出機構が取込部の内部で球を球出口に向けて移動する方向とが同じ方向となるように、球払出機構が駆動されたり、払出球検出機構が球払出機構の球を排出する球出口の真下に設けられたりすることも特徴とする。
【発明の効果】
【０００５】
本発明に係るタンク払出装置は、タンク機構の挿入部が縦樋機構の上方から受入部に差し込まれることによって、タンク機構の球を排出する部分と縦樋機構の球を受け入れる部分とが、位置がずれたり離れたりすることがなく、正確に連結されるので、球がタンク機構から縦樋機構に円滑に流れるという利点がある。球貯蔵室から球払出機構に向けて移動する球から受ける球圧の方向と球払出機構が取込部の内部で球を球出口に向けて移動する方向とが同じ方向となるように、球払出機構が駆動されれば、球貯蔵室に存在する球および取込部に存在する球から球払出機構に作用する負担が軽くなり、球払出機構が円滑に駆動して球詰まりを発生しにくく、球貯蔵室から球を円滑に払い出すことができるという利点がある。払出球検出機構が球払出機構の球を排出する球出口の真下に設けられれば、タンク払出装置の上下寸法を小さくすることができるうえ、球が球出口から払出球検出機構を通過するまでの時間を短くすることができるという利点がある。
【発明を実施するための最良の形態】
【０００６】
図１−図７は、発明を実施するための最良の形態である。図１は、遊技機のタンク払出装置１を分解して示す。図２は、球が螺旋払出体１８と取込部１６の前後壁との間に取り込まれた形態の平面を示す。図３は、タンク払出装置１の内部構造の縦断面を示す。図４はタンク払出装置１が遊技主体収納構造体４に取り付けられる工程を示す。図５は、遊技主体収納構造体４に取り付けられたタンク払出装置１を示す。図６は、パチンコ機における遊技機枠５１と遊技盤８５とを分解して示す。図７は、遊技機枠５１の裏面を示す。この明細書において、「前」、「後」、「裏」、「左」、「右」、「上」、「下」の方向は、図６の状態に遊技機枠５１および遊技盤８５を置き、それらを前側から見た場合に特定される方向である。「後」と「裏」とは同じ方向である。
【０００７】
図１を参照し、タンク払出装置１について説明する。タンク払出装置１は、タンク機構２と縦樋機構３とを備え、縦樋機構３が遊技主体収納構造体４に取り付けられ、タンク機構２の挿入部５が縦樋機構３の受入部６に上方から嵌め込まれた後、タンク機構２が遊技主体収納構造体４に取り付けられる構造である。具体的には、タンク機構２は、タンク構造体７の上方に開口した箱形の球貯蔵室８に貯蔵された球を、球払出機構９の動作によって、球貯蔵室８から払出球検出機構１０に１個ずつ払い出し、払い出された球を払出球検出機構１０で電気的に検出し、検出された球を連結樋１１から下方に排出する構造である。連結樋１１の下端部には、挿入部５が設けられる。挿入部５は、縦樋機構３の受入部６に内接嵌合される外形を有する筒状であって、連結樋１１より細くくびれている。タンク構造体７の前壁１２には、ねじ挿入孔１３が設けられる。ねじ挿入孔１３は、タンク構造体７を遊技主体収納構造体４に取り付けるためのタッピングスクリューのような止ねじ１４を挿入する貫通孔である。
【０００８】
球貯蔵室８の底壁１５には、取込部１６が、右側で前後方向中央部に設けられる。取込部１６は、左右に横長であって、球貯蔵室８の底壁１５から下方に窪む窪みである。球払出機構９は、ステップモータからなる払出モータ１７および螺旋払出体１８を備える。払出モータ１７のモータケースが、タンク構造体７の右外側面に取り付けられる。螺旋払出体１８は、丸棒の外周面に螺旋体を備える。螺旋体は、螺旋払出体１８の丸棒の軸心方向に球を１個ずつ分離する間隔で、当該丸棒の外周面から径方向外側に螺旋形状に突出する。螺旋払出体１８の丸棒の軸心が左右方向に向けられた格好で、螺旋体が取込部１６に回転可能に収納される一方、螺旋払出体１８における螺旋体の不在な丸棒の両端部が取込部１６を囲む左右側壁を取込部１６の内外に回転可能に貫通する。螺旋払出体１８における取込部１６の左側壁の外側に突出した丸棒の端部が、払出モータ１７のモータ軸のような出力軸に結合される。この結合よって、払出モータ１７の出力軸が回転すると、螺旋払出体１８も一緒に回転する。
【０００９】
球貯蔵室８の底壁１５における球の接触する底面は、球が周囲から取込部１６に向けて流れる斜面を形成する。したがって、球貯蔵室８に貯蔵された球は、球貯蔵室８の底壁１５から取込部１６に流れ込む。この取込部１６に流れ込んだ図２に示す球Ｐは、螺旋払出体１８と取込部１６の前後壁との間に前後２条となって螺旋体の隙間に１個ずつ分離されつつ取り込まれる。取込部１６の底部には、図２および図３に示す球出口１９が、螺旋体における右側部の１つ隙間の真下に位置して形成される。そして、払出モータ１７が螺旋払出体１８を回転すると、螺旋払出体１８が螺旋体の隙間に分離されて取り込まれ球を取込部１６の内部を左側から右側に移動させ、取込部１６の内部における右端部に移動した球が球出口１９から前後２条に分かれて下方に落下して取込部１６から排出される。螺旋払出体１８の前側に分離されている球と螺旋払出体１８の後側に分離されている球とは、球出口１９から同時に排出されることはなく、球出口１９から螺旋払出体１８の半回転だけずれて互い違いに排出される。取込部１６の右壁が螺旋払出体１８を貫通させる部分は、図３に示す孔閉塞体２２によって球が取込部１６の内部から漏れないように塞がれている。孔閉塞体２２は払出モータ１７のモータケースと取込部１６の右外側面との間の隙間を保持する機能も有する。球貯蔵室８には、球貯蔵室８から取込部１６への球の流入を阻止する図２および図３に示す庇２３が球出口１９の真上に位置して設けられる。
【００１０】
図１に戻り、取込部１６の左壁には、１個の球の直径より小さい退避孔２６が設けられる。払出球検出機構１０は、図２に示す球出口１９から前後２条に分かれて排出される球を、払出球検出機構１０に装着された払出球検出器２０に前後に形成された図３に示す球検出孔２１を別々に通過させる。払出球検出器２０は、球検出孔２１を通過する球を電気的に検出するごとに払出球検出信号を図６に示す主制御装置８６および図７に示す発射払出制御装置１０２に出力する。連結樋１１の内部には、払出球検出機構１０から前後２条に分かれて排出される球を個別に通す２つの通路が、隔壁で前後に区分される。球貯蔵室８の底壁１５の外側面には、球貯蔵室８に貯蔵された球数が残り少ない球切れ状態であることを検出する球切れ検出器２４が設けられる。球切れ検出器２４は、球貯蔵室８に貯蔵された球数が残り少ない球切れ状態であることを検出すると、電気的な球切れ検出信号を図６に示す主制御装置８６に出力する。すると、主制御装置８６が遊技店の営業を管理するホールコンピュータに補給信号を出力し、ホールコンピュータが遊技機設置構造体における補給機構を駆動し、補給機構が球貯蔵室８に球を補給する。タンク構造体７における球貯蔵室８よりも前側には、タンク中継端子基板２５が設けられる。タンク中継端子基板２５には、払出球検出器２０、通路切換ソレノイド３８、満タン検出器４３、球切れ検出器２４のそれぞれからの配線を接続するコネクタが設けられる。
【００１１】
縦樋機構３は、タンク機構２の連結樋１１から排出された球を、通路切換機構３１の動作によって、通路構造体３２の内部における払出通路３３に流したり、払出通路３３から通路構造体３２の内部における球抜通路３４に流したりする構造である。払出通路３３は、連結樋１１から排出された球を、遊技機枠５１の前側に設けられた球皿構造体５８の球収容部の方向に払い出すため、通路構造体３２の内部に形成された通路である。球抜通路３４は、タンク機構２の連結樋１１から排出された球を、遊技機枠５１の裏側から遊技機枠５１の設置される遊技機設置構造体の捕球機構の方向に排出する通路である。払出通路３３および球抜通路３４は、連結樋１１から前後２条に分かれて排出される球を個別に通すように、隔壁で前後に区分された構造であるとともに、上部から下部に行くにしたがって、前後方向に蛇行する構造である。球抜通路３４は、払出通路３３の右側に併設され、払出通路３３から前後２条に分かれて排出される球を個別に通すように、隔壁で前後に区分された構造である。
【００１２】
通路構造体３２における上端部としての払出通路３３の上端部には、受入部６が設けられる。受入部６は、挿入部５を外接嵌合させる内形を有する筒状であって、払出通路３３より大きく広がっている。通路構造体３２の前側に設けられた取付躯体３５には、ねじ挿入孔３６および掛止部３７が設けられる。ねじ挿入孔３６は、縦樋機構３を遊技主体収納構造体４に取り付けるためのタッピングスクリューのような止ねじ３０を挿入する貫通孔である。掛止部３７は、縦樋機構３を遊技主体収納構造体４に取り付けるためのものであって、取付躯体３５の基板から前側に突出した横突起と、横突起の先端から下方に突出した縦突起とを備える。掛止部３７の縦突起と取付躯体３５の前面との間には、遊技主体収納構造体４における係合孔４７の周囲を取り込んで支持する隙間が存在する。
【００１３】
通路切換機構３１の電磁ソレノイドにより構成された通路切換ソレノイド３８は、取付躯体３５と通路構造体３２との間に配置されて取付躯体３５に固定される。通路切換機構３１の通路切換弁３９は、払出通路３３と球抜通路３４との連接部に形成された図３に示す連絡孔４０に配置される。通路切換弁３９の下部に固定された弁軸４１は、縦樋機構３に回転可能に装着されるとともに、通路切換ソレノイド３８の出力部材であるプランジャ４２に連結される。そして、例えば、通路切換ソレノイド３８が電力供給されていない場合、通路切換弁３９が、球を払出通路３３に流すように、連絡孔４０を遮断する。そして、通路切換ソレノイド３８が電力供給されている場合、通路切換弁３９が、球を球抜通路３４に球を流すように、払出通路３３を遮断する。通路切換弁３９の動作について、通路切換ソレノイド３８への電力供給を単動タイプで説明したが、通路切換ソレノイド３８をラッチングソレノイドで構成し、電力供給の極性を変えることで通路切換弁３９を動作させれば、電力消費を減少することができる。払出通路３３には満タン検出器４３が通路切換弁３９よりも下流側に設けられる。満タン検出器４３は、図６に示す球収納部６８から前横樋８０および払出通路３３の満タン検出器４３まで球が満杯となると、図６に示す主制御装置８６による賞球制御を停止するために、満タン検出器４３が満杯となった球でオン動作して電気的な満杯検出信号を主制御装置８６に出力する。遊技主体収納構造体４には、タンク機構２を取り付ける止ねじ１４を締結する取付孔４４、タンク機構２を搭載する受棚４５、縦樋機構３を取り付ける止ねじ３０を締結する取付孔４６、掛止部３７を掛け止める係合孔４７が設けられる。
【００１４】
タンク払出装置１を遊技主体収納構造体４に取り付ける仕方について説明する。図１において、先ず、縦樋機構３の掛止部３７が遊技主体収納構造体４の裏側から係合孔４７に挿入され、縦樋機構３の取付躯体３５の前面が遊技主体収納構造体４に重ね合わされ、縦樋機構３が下方に移動されると、掛止部３７の縦突起が係合孔４７よりも下部における遊技主体収納構造体４の前面と対向し、掛止部３７の横突起が係合孔４７の下縁部で受け止められる。その後、止ねじ３０が取付躯体３５の裏側からねじ挿入孔３６を経由して遊技主体収納構造体４の取付孔４６に締結される。これによって、図７に示すように、縦樋機構３が遊技主体収納構造体４における中央開口部７３の右縁部に沿って中央開口部７３よりも右側に位置して遊技主体収納構造体４の裏面に縦長となるように配置されて固定される。次に、タンク機構２における連結樋１１の挿入部５が縦樋機構３の上方から受入部６に差し込まれる。このようにタンク機構２の挿入部５が縦樋機構３の上方から受入部６に差し込まれることによって、タンク機構２の球を排出する部分と縦樋機構３の球を受け入れる部分とが、位置がずれたり離れたりすることがなく、正確に連結されるので、球がタンク機構２から縦樋機構３に円滑に流れるという利点がある。しかも、挿入部５の内径が受入部６の内径よりも細く構成され、図３に示すように、挿入部５の内面が受入部６の内面と同一面内に位置するか、または、受入部６の内面が挿入部５の内面よりも内側に突出しなければ、球が挿入部５から受入部６に移動する過程で受入部６に引っかかることがなく一層円滑に流れるという利点がある。その後、タンク機構２が遊技主体収納構造体４の受棚４５に搭載され、止ねじ１４がタンク機構２の裏側からねじ挿入孔１３を経由して遊技主体収納構造体４の取付孔４４に締結される。これによって、図５に示すように、タンク機構２と縦樋機構３とが互いに連結されて遊技主体収納構造体４の裏面に固定され、タンク払出装置１が遊技主体収納構造体４の裏面に設けられる。
【００１５】
このように遊技主体収納構造体４の裏面に取り付けられたタンク払出装置１において、球貯蔵室８に球が供給されると、球貯蔵室８に入った球は、底壁１５の球が接触する底面の傾斜で取込部１６の方向に案内されて取込部１６に流れ込む。この取込部１６に入った球は、螺旋払出体１８で前後に分けられるとともに、螺旋体の隙間に分離されて１個ずつ取り込まれる。その状態において、螺旋払出体１８が払出モータ１７で正転方向に駆動されると、螺旋払出体１８が螺旋体の隙間に取り込まれた球を取込部１６の内部で左側から右側に移動して取込部１６の球出口１９から下方に排出させる。球出口１９から排出された球は、払出球検出機構１０に取り込まれる。つまり、払出球検出機構１０が球出口１９の真下に設けられているので、タンク払出装置１の上下寸法を小さくすることができるうえ、球が球出口１９から払出球検出機構１０を通過するまでの時間を短くすることができるという利点がある。図３に示すように、螺旋払出体１８が球貯蔵室８から取込部１６に向けて移動する球から受ける矢印Ｘ１で示す球圧の方向と螺旋払出体１８が取込部１６の内部で球を球出口１９に向けて移動する矢印Ｘ２で示す方向とが同じ方向となるように、球払出機構９の螺旋払出体１８が払出モータ１７で正転方向に駆動されるので、球貯蔵室８に存在する球および取込部１６に存在する球から螺旋払出体１８に作用する負担が軽くなり、螺旋払出体１８が円滑に回転して球詰まりを発生しにくく、球貯蔵室８から球を円滑に払い出すことができるという利点がある。
【００１６】
図６を参照し、遊技機枠５１の裏機構および遊技盤８５の前機構について説明する。遊技機枠５１は、固定枠５２および可動枠５３を備える。固定枠５２は、パチンコ店の図外の遊技機設置構造体に取り付けるための外枠と呼ばれるものであって、前後方向に開放された縦長な長方形の空間を囲む額縁形状である。可動枠５３は、前枠または中枠と呼ばれるものであって、固定枠５２に左側のヒンジ５４で前側横方向に片開き可能にかつ着脱可能（交換可能）に取り付けられる。可動枠５３は、前後方向に開放された縦長な長方形の空間を囲む額縁形状の可動枠本体５５と、可動枠本体５５から内部に延設された遊技主体収納構造体４とを備える。可動枠本体５５には、パネル枠５７および球皿構造体５８が左側に設けられる上側および下側のヒンジ５９で前側横方向に片開き可能に取り付けられる。パネル枠５７は、前後方向に開放された窓６０を囲む額縁形状である。パネル枠５７の裏面には、ガラスまたは合成樹脂からなる光透過性を有する前面パネル６１が、窓６０を覆う格好で取り付けられる。
【００１７】
可動枠本体５５の右縦片には施錠装置６２と複数のロック機構６３；６４；６５およびロック解除操作体６６が設けられる。可動枠５３やパネル枠５７および球皿構造体５８が閉じられてロック機構６３−６５で開閉不能に支持された状態において、遊技店の店員が図外のキープレート（鍵）を遊技機枠５１の前側から施錠装置６２の鍵穴６７に挿入し、当該キープレートを例えば右側に９０度回転操作すると、固定枠５２と可動枠５３とのロック機構６３による支持形態が解除される。この支持形態の解除後に、店員が可動枠５３を前側に引くことによって、可動枠５３はヒンジ５４を中心として前側に片開きされる。また、上記施錠装置６２の鍵穴６７に挿入されたキープレートが例えば左側に９０度回転操作されると、可動枠５３とパネル枠５７とのロック機構６４による支持形態が解除される。
【００１８】
この支持形態の解除後に、店員がパネル枠５７を前側に引くことによって、パネル枠５７はヒンジ５９を中心として前側に片開きされる。このように、パネル枠５７が前側に開かれた状態において、店員が可動枠５３の前面に設けられたロック解除操作体６６を操作すると、可動枠５３と球皿構造体５８とのロック機構６５による支持形態が解除される。この支持形態の解除後に、店員が球皿構造体５８を前側に引くことによって、球皿構造体５８はヒンジ５９を中心として前側に片開きされる。球皿構造体５８の前面には、球収納部６８および発射操作機構６９を備える。球収納部６８は、遊技に使用する球を受ける上方に開放された形態である。球皿構造体５８の裏面には、前横樋８０から球を球収納部６８に供給する球取入口７０と、球収納部６８から発射機構７７に球を供給する球供給口７１とを備える。
【００１９】
遊技主体収納構造体４は、前側に開放された遊技主体収納室７２と、遊技主体収納室７２の背壁に前後方向に貫通する中央開口部７３とを備える。遊技主体収納室７２の左側部には、遊技盤８５を取り付ける枠側ヒンジ７４および枠側コネクタ７５を備える。枠側ヒンジ７４は、遊技主体収納室７２の左側部に固定的に取りけられたヒンジ躯体の前側に折り曲げられた支持部から上方に突出したヒンジピンを備えた構造である。枠側コネクタ７５は、導電材からなるコネクタピンが合成樹脂のような電気絶縁材からなるコネクタボディに移動可能に装着され、コネクタピンに内蔵されたコイルスプリングのような弾性体がコネクタピンの先端部をコネクタピンから外側に押し出した、スプリングコネクタと呼ばれる構造であって、コネクタピンが遊技盤の電極から押されるのに伴い、弾性体が圧縮し、コネクタピンと電極とが互いに押し合って接触する。
【００２０】
遊技主体収納構造体４における遊技主体収納室７２よりも下部における前面には、遊技主体棚７６を備える。遊技主体棚７６から下方に延設された遊技主体収納構造体４における前壁の前面には、発射機構７７、発射レール７８、ファール球取入口部７９、前横樋８０を備える。発射レール７８は、球皿構造体５８の球供給口７１から供給された１個の球を受け取る。発射機構７７は、電力供給と遮断とを交互に受けることによって、球収納部６８から発射レール７８に供給された１個の球を遊技盤８５の前面の遊技領域に向けて発射する。発射レール７８は、発射機構７７から発射された球を、遊技盤８５の前面の発射通路の入口に誘導する。ファール球取入口部７９は、遊技盤８５の発射通路から落下する球を取り込む。ファール球取入口部７９に取り込まれた球は、前横樋８０を経由して球取入口７０に排出される。前横樋８０は、可動枠５３の裏部に取り付けられた図１に示すタンク払出装置１から払い出された球を球取入口７０に排出する。遊技主体収納室７２の右側部には、遊技主体ロック部材８１を備える。遊技主体ロック部材８１は、遊技主体収納構造体４から前側に突出する円筒状の台座の中心にロック操作体８２を回転可能に備える。ロック操作体８２は、台座から前側に突出した操作軸の端部に固定された横長な形態である。
【００２１】
遊技盤８５の裏面には、主制御装置８６、複合制御装置８７、セット板と呼ばれる部品取付構造体８８、盤側可撓性配線８９、盤側ヒンジ９０、取付部９１を備える。部品取付構造体８８は、遊技盤８５の前面に設けられた図外の入賞部品やアウト口から遊技基板の裏側に排出された球を、下方に誘導して排出する。遊技盤８５の裏側には、遊技盤８５の前面に設けられた遊技部品の裏機構が、遊技盤８５に形成された図外の逃孔や部品取付構造体８８に形成された逃孔を経由して突出する。遊技盤８５の裏側に突出した遊技部品の裏機構は、入賞部品に入賞した球を電気的に検出した入賞信号を主制御装置８６を出力する入賞球検出器、可動部品を動かす駆動機構９２、図柄表示器９３、図柄表示器９３の制御を行う図柄制御装置９４、図柄表示部品のステップモータ９７、表示灯基板などである。
【００２２】
盤側可撓性配線８９は、遊技盤８５に設けられた電気部品と遊技機枠５１に設けられた電気部品とを接続する多数本の箔形状の電線および箔形状の電極９５が、可撓性を有する合成樹脂基板の表面に付設された構造である。電極９５は、枠側コネクタ７５のコネクタピンと対応する個数のラウンドと呼ばれるものであって、各電極９５からは上記箔形状の電線が個別に延設される。電線の表面は、レジスト膜のような電気絶縁材で被覆され、人の接触から保護される。盤側可撓性配線８９には、入賞球検出器、可動部品を動かす駆動機構９２、図柄制御装置９４、表示灯基板などである。盤側ヒンジ９０は、遊技盤８５に固定的に取りけられたヒンジ躯体の前側に折り曲げられた支持部に上下方向に貫通したヒンジ孔を備えた構造である。取付部９１は、遊技盤８５の右側部に固定される。取付部９１は、ロック挿入孔９６を備える。
【００２３】
遊技盤８５は、遊技機枠５１に、次のように装着される。少なくとも、パネル枠５７が前側に開けられた状態において、遊技盤８５の裏面が可動枠５３の前面に向けられ、遊技盤８５の左側部が遊技主体収納室７２に前側から挿入され、盤側ヒンジ９０のヒンジ孔が枠側ヒンジ７４のヒンジピンに上方から挿入されると、遊技盤８５が遊技機枠５１に盤側ヒンジ９０と枠側ヒンジ７４とを中心として回転可能に取り付けられる。その後、遊技盤８５の右側部が作業者によって遊技機枠５１の方に押されると、盤側ヒンジ９０と枠側ヒンジ７４との嵌合が中心となり、遊技盤８５が右部を遊技主体収納室７２に近づけるように回転しつつ遊技主体収納室７２に収納され、ロック操作体８２が遊技盤８５のロック挿入孔９６に後側から挿入されて前側に突出する。その状態において、作業者がロック操作体８２を例えば左方向に９０度回転操作すると、ロック操作体８２がロック挿入孔９６の周りにおける取付部９１と係合し、遊技盤８５が遊技主体収納室７２に取り付けられる。このように遊技盤８５が遊技主体収納室７２に取り付けられることによって、盤側可撓性配線８９の電極９５と枠側コネクタ７５のコネクタピンとが互いに接続される。
【００２４】
図７を参照し、遊技機枠５１の裏機構について説明する。タンク払出装置１のタンク構造体７が、遊技機枠５１の中央開口部７３の真上の右側に配置されて遊技主体収納構造体４の裏面に取り付けられ、タンク払出装置１の縦樋機構３が遊技機枠５１の中央開口部７３の右側に配置されて遊技主体収納構造体４の裏面に取り付けられる。縦樋機構３の払出通路３３の下端は、前横樋８０の右上内部に連なる。よって、払出通路３３を流下した球は、前横樋８０を経由して球皿構造体５８の球収納部６８に排出される。遊技主体収納構造体４における遊技主体棚７６より下方に延設された前壁の裏面には、電源装置１０１と発射払出制御装置１０２とが取り付けられる。電源装置１０１は、中央開口部７３よりも右下部に配置される。発射払出制御装置１０２は、中央開口部７３よりも左下部に配置される。枠側コネクタ７５よりも上部における遊技主体収納構造体４の裏面には、外部情報端子基板１０３、払出中継端子基板１０４、電源端子基板１０５が、下から上に順に配置された形態で、取り付けられる。発射払出制御装置１０２よりも左側における遊技主体収納構造体４の裏面には、球皿中継基板１０６が取り付けられる。電源装置１０１、発射払出制御装置１０２、枠側コネクタ７５、払出中継端子基板１０４、電源端子基板１０５、外部情報端子基板１０３、球皿中継基板１０６のそれぞれは、枠側可撓性配線１０７で、互いに接続される。枠側可撓性配線１０７は、遊技盤８５に設けられた電気部品と遊技機枠５１に設けられた電気部品とを接続する多数本の箔形状の電線が、可撓性を有する合成樹脂基板に付設された構造である。
【００２５】
枠側可撓性配線１０７には、枠側コネクタ７５、外部情報端子基板１０３、払出中継端子基板１０４、電源端子基板１０５、電源装置１０１、発射払出制御装置１０２が接続される。払出中継端子基板１０４には、タンク構造体７のタンク中継端子基板２５が、ハーネス１０８で接続される。電源端子基板１０５には、パチンコ機のプラグ１０９を有する電源配線１１０が接続される。外部情報端子基板１０３は、遊技店の店営業を管理する図外のホールコンピュータと接続される。球皿中継基板１０６には、図６に示す球皿構造体５８からの配線が接続される。電源装置１０１の裏面左下部には、電源スイッチ１１１およびリセット釦１１２が設けられる。
【００２６】
図６に示す遊技機枠５１が遊技店の遊技機設置構造体に取り付けられ、遊技盤８５が遊技機枠５１に装着され、パネル枠５７および球皿構造体５８が閉じられて可動枠５３に固定され、遊技機枠５１の裏側に設けられた電源配線１１０のプラグ１０９が遊技機設遊構造体のＡＣ２４ボルトを出力する島電源の出力端子に接続され、図７に示す電源スイッチ１１１が作業者によって投入され、遊技機枠５１の裏面における電源装置１０１が、遊技盤８５の裏面における主制御装置８６と複合制御装置８７および図柄制御装置９４、遊技機枠５１の裏面における発射払出制御装置１０２に直流電源を供給し、主制御装置８６と複合制御装置８７および図柄制御装置９４が起動し、パチンコ球と呼ばれる球が球収納部６８および図１に示すタンク払出装置１の球貯蔵室８に入れられ、球切れ検出器２４が球切れ検出信号を出力しておらず、満タン検出器４３が満タン検出信号を出力していない状態において、遊技者が発射操作機構６９を操作すると、発射操作機構６９が遊技者の操作量に応じた可変抵抗値を発射払出制御装置１０２に出力する。これによって、発射払出制御装置１０２が例えば１分間に１００発未満の周期と可変抵抗値に応じた発射出力とで発射機構７７を駆動し、発射機構７７が球収納部６８から供給された球を１個ずつ発射する。
【００２７】
発射機構７７から発射された球は、遊技盤８５の発射通路を経由して遊技領域に発射される。遊技領域に発射された球は、センター飾り、入賞部品、サイドランプ、風車、遊技釘、球反発体などに衝突して流れる方向を変えられながら、遊技領域を流下し、入賞部品に入賞する。入賞部品に入賞しないで遊技領域の最下部に到達した球は、アウト口から遊技基板の裏側に排出される。入賞部品に球が入賞すると、入賞球検出器が入賞部品に入賞した球を電気的に検出して入賞検出信号を配線を通して主制御装置８６に出力する。そして、主制御装置８６が入賞検出信号の種類による賞球払出信号を発射払出制御装置１０２に出力し、発射払出制御装置１０２が賞球払出信号に基づく個数の賞球としての球を払い出すように払出モータ１７を正転方向に駆動する。これによって、タンク払出装置１の球貯蔵室８から賞球としての球が払い出される。
【００２８】
このように、球が球貯蔵室８から払い出されるのに伴い、払出球検出器２０が払出検出信号を配線を通して発射払出制御装置１０２に出力し、発射払出制御装置１０２が払出検出信号をタンク払出装置１から払い出された球数としてカウントアップするかまたは賞球払出信号に基づき定められた設定賞球数をカウントダウンするかの演算処理を行う。この演算処理の結果として、発射払出制御装置１０２は、タンク払出装置１が賞球払出信号による個数の球を払い出し終わる時間が経過した時点において、カウントアップした値が賞球払出信号に基づき定められた設定賞球数と一致するかまたは賞球払出信号に基づき定められた設定賞球数からカウントダウンした値が「０」となった場合、払出モータ１７の正転方向の駆動を停止する。
【００２９】
球切れ検出器２４が球貯蔵室８に球の存在を検出していてオフ動作していることから、発射払出制御装置１０２が払出モータ１７を正転方向に駆動するような制御中において、発射払出制御装置１０２には球切れ信号が入力されずかつ賞球払出信号が一定時間入力されないことが継続した場合、または、発射払出制御装置１０２が払出モータ１７の正転方向の駆動中における出力トルクを監視し、この監視している出力トルクがしきい値である所定値よりも上昇した状態が一定時間継続した場合、発射払出制御装置１０２は球払出機構９に球詰まりが発生したと判断する。そして、発射払出制御装置１０２が払出モータ１７を正転方向から逆転方向に駆動するように発射払出制御装置１０２から払出モータ１７に供給する電力の極性を一定時間切り換える。これによって、払出モータ１７が逆転方向に一定時間駆動する。払出モータ１７を正転方向から逆転方向に駆動するように電力の極性を切り換える一定時間は、タンク構造体７における取込部１６の退避孔２６に球の一部が取り込まれるまでの時間であって、この時間が経験則から割り出して発射払出制御装置１０２に設定されている。
【００３０】
その後、発射払出制御装置１０２は、払出モータ１７を逆転方向から正転方向に駆動するように発射払出制御装置１０２から払出モータ１７に供給する電力の極性を元に戻すように切り換える。または、発射払出制御装置１０２が払出モータ１７の逆転方向の駆動中における出力トルクを監視し、この監視している出力トルクがしきい値である所定値よりも上昇した状態が一定時間継続した場合、退避孔に球が取り込まれたと判断することによって、発射払出制御装置１０２が払出モータ１７を逆転方向から正転方向に駆動するように発射払出制御装置１０２から払出モータ１７に供給する電力の極性を元に戻すように切り換える。このように出力トルクを監視した場合は、発射払出制御装置１０２に上記経験則から割り出した一定時間に置換してしきい値を設定しておく。これによって、払出モータ１７が正転方向に駆動する。この正逆転の切替制御は、球払出機構９に発生した球詰まりが解消されるまでの間、所定回数行われる。そして、所定回数行われても、球払出機構９に発生した球詰まりが解消されない場合、発射払出制御装置１０２は、正逆転の切替制御を停止するとともに、パチンコ店の店員による球詰まり解消を行わせるために、異常信号を図外の報知器に出力する。
【図面の簡単な説明】
【００３１】
【図１】タンク払出装置を示す分解斜視図（最良の形態）。
【図２】取込部周りを示す平面図（最良の形態）。
【図３】タンク払出装置の内部を示す縦断面図（最良の形態）。
【図４】タンク払出装置の組立工程を示す斜視図（最良の形態）。
【図５】タンク払出装置の組立工程を示す斜視図（最良の形態）。
【図６】パチンコ機の遊技機枠と遊技盤とを示す分解斜視図（最良の形態）。
【図７】遊技機枠を示す背面図（最良の形態）。
【符号の説明】
【００３２】
１    タンク払出装置
２    タンク機構
３    縦樋機構
４    遊技主体収納構造体
５    挿入部
６    受入部
７    タンク構造体
８    球貯蔵室
９    球払出機構
１０  払出球検出機構
１１  連結樋
３１  通路切換機構
３２  通路構造体
３３  払出通路
３４  球抜通路
【図１】
2006014796.tif 000003
【図２】
2006014796.tif 000004
【図３】
2006014796.tif 000005
【図４】
2006014796.tif 000006
【図５】
2006014796.tif 000007
【図６】
2006014796.tif 000008
【図７】
2006014796.tif 000009